(57)【要約】【課題】交通インフラにより提供される情報の音声案内のタイミングをずらすことなく、情報提供を行うこと。【解決手段】ナビゲーション装置に、交通インフラの位置情報を格納する手段と、自車両の走行経路に、交通インフラの位置情報が含まれるか否かを判断する手段と、走行経路に交通インフラの位置情報が含まれる場合に、該位置近傍で提供される自装置における音声案内を提供する時間の長さが、該音声案内を提供するタイミングと交通インフラから交通インフラ提供情報が提供されると推定されるタイミングとの時間間隔以上であるか否かを判断する手段と、自装置における音声案内が提供される時間の長さが、時間間隔以上である場合に、該自装置における音声案内が行われるタイミングを、前のタイミングに変更する手段とを備えることにより達成される。【選択図】図２
2009115617.tif 000002
【特許請求の範囲】
【請求項１】
車両の現在位置を検出し、地図上に車両位置の表示を行い、目的地の検索及び経路案内を行い、該目的地及び経路に関する音声案内を行うナビゲーション装置であって、
交通インフラの位置情報を格納する記憶手段と、
自車両の走行経路に、前記交通インフラの位置情報が含まれるか否かを判断する走行経路判断手段と、
前記走行経路に前記交通インフラの位置情報が含まれる場合に、該位置近傍で提供する自装置における音声案内を提供する時間の長さが、該音声案内を提供するタイミングと前記交通インフラから交通インフラ提供情報が提供されると推定されるタイミングとの時間間隔以上であるか否かを判断する提供時間変更要否判断手段と、
前記自装置における音声案内を提供する時間の長さが、前記時間間隔以上である場合に、該自装置における音声案内を行うタイミングを、前のタイミングに変更する音声案内タイミング変更手段と
を備えることを特徴とするナビゲーション装置。
【請求項２】
請求項１に記載のナビゲーション装置において、
前記記憶手段は、受信手段により受信された交通インフラにより提供される交通インフラ提供情報と、前記交通インフラの位置情報として該交通インフラ提供情報を受信した位置情報とを関連付けて格納することを特徴とするナビゲーション装置。
【請求項３】
請求項１又は２に記載のナビゲーション装置において、
前記音声案内タイミング変更手段は、前記自装置における音声案内を提供する時間の長さと、該音声案内が行われるタイミングと前記交通インフラから交通インフラ提供情報の提供が行われると推定されるタイミングとの時間間隔との間の時間以上の時間、自装置における音声案内を行うタイミングを前記タイミングより前のタイミングに変更することを特徴とするナビゲーション装置。
【請求項４】
請求項３に記載のナビゲーション装置において、
前記自装置における音声案内により提供する情報が、前記交通インフラから提供される交通インフラ提供情報と同様の内容あるか否かを判断する情報内容判断手段と、
前記自装置における音声案内の提供及び／又は前記交通インフラ提供情報の提供を行う情報提供手段
を備え、
前記音声案内タイミング変更手段は、前記自装置における音声案内により提供する情報と、前記交通インフラから提供される交通インフラ提供情報が同様の内容でない場合に、該自装置における音声案内を行うタイミングの変更を行い、
前記情報提供手段は、前記自装置における音声案内により提供する情報と、前記交通インフラから提供される交通インフラ提供情報が同様の内容でない場合に、前記音声案内の提供及び交通インフラ提供情報の提供を行うことを特徴とするナビゲーション装置。
【請求項５】
請求項３に記載のナビゲーション装置において、
前記情報提供手段は、前記自装置における音声案内により提供する情報と、前記交通インフラから提供される交通インフラ提供情報が同様の内容である場合に、前記音声案内の提供を行うことを特徴とするナビゲーション装置。
【請求項６】
請求項１又は２に記載のナビゲーション装置において、
前記音声案内タイミング変更手段は、前記自装置における音声案内を提供する時間の長さと、該音声案内が行われるタイミングと前記交通インフラから交通インフラ提供情報の提供が行われると推定されるタイミングとの時間間隔との間の時間が、前記自装置における音声案内を提供する時間のずれとして許容される時間以上である場合に、前記許容される時間、自装置における音声案内を行うタイミングを前記タイミングより前のタイミングに変更することを特徴とするナビゲーション装置。
【請求項７】
請求項１ないし６のいずれか１項に記載のナビゲーション装置において、
前記受信手段は、ＶＩＣＳにより提供される道路交通情報を受信することを特徴とするナビゲーション装置。
【請求項８】
請求項１ないし６のいずれか１項に記載のナビゲーション装置において、
前記受信手段は、専用狭域通信方式により提供される道路交通情報を受信することを特徴とするナビゲーション装置。
【請求項９】
車両の現在位置を検出し、地図上に車両位置の表示を行い、目的地の検索及び経路案内を行い、該目的地及び経路に関する音声案内を行うナビゲーション装置における音声案内方法であって、
記憶手段に格納された交通インフラの位置情報に基づいて、自車両の走行経路に、前記交通インフラの位置情報が含まれるか否かを判断する走行経路判断ステップと、
前記走行経路判断ステップにおいて走行経路に前記交通インフラの位置情報が含まれると判断された場合に、該位置近傍で提供する自装置における音声案内を提供する時間の長さが、該音声案内を提供するタイミングと前記交通インフラから交通インフラ提供情報が提供されると推定されるタイミングとの時間間隔以上であるか否かを判断する提供時間変更要否判断ステップと、
前記提供時間変更要否判断ステップにおいて自装置における音声案内を提供する時間の長さが、前記時間間隔以上であると判断された場合に、該自装置における音声案内を行うタイミングを、前のタイミングに変更する音声案内タイミング変更ステップと
を有することを特徴とする音声案内方法。
【発明の詳細な説明】
【技術分野】
【０００１】
本発明は、ナビゲーション装置及びナビゲーションシステムに係り、特に、交通インフラから送信された交通情報を車両乗員に提供するナビゲーション装置及び音声案内方法に関する。
【背景技術】
【０００２】
道路交通情報は、各道路上に設置された「ビーコン」などを利用して、カーナビゲーションに伝達される。交通情報提供センタは、予め定められた地域ごとに道路交通情報を収集し、その収集した交通情報を「ビーコン」などを用いて送信する。「ビーコン」を用いて道路交通情報を送信するシステムには、ＶＩＣＳ(Vehicle  Information  and  Communication  System)が含まれる。ＶＩＣＳとは、ＶＩＣＳセンターで編集、処理された渋滞や交通規制などの道路交通情報をリアルタイムに送信し、カーナビゲーションなどの車載機に文字・図形で表示するシステムである。「ビーコン」では自車位置をもとにした直近の道路の詳細な情報など、その場所で必要な道路交通情報が提供される。「ビーコン」には「電波ビーコン」と「光ビーコン」がある。「電波ビーコン」は主に高速道路で使用され、「光ビーコン」は主要な一般道路で使用される。
【０００３】
この「ビーコン」などの交通インフラにより提供された交通情報提供センタからの道路交通情報を、表示モニタに表示させるナビゲーションシステムが知られている。車両に搭載された車載ナビゲーション装置は、その定められた地域に車両が進入した後、一定間隔ごとに該地域における交通情報を取得する。
【０００４】
このような機能を有する車載ナビゲーション装置が搭載された車両では、例えば誘導経路に関する案内、道路交通情報に基づく案内、利用者による施設検索案内などの種々の案内を音声により行うことができる。
【０００５】
例えば、誘導経路に関する案内には、右左折予定交差点の案内が含まれる。右左折予定交差点の案内では、交差点までの距離に応じて、例えば「この先１０ｋｍ以上道なりです。」、「次の案内地点まで２．５ｋｍです。」、「７００ｍ先の交差点を右折します。車線を変更して下さい。」、「次の交差点を右折です。その後すぐ左折です。」などのように車両の状況に応じて種々の音声案内が行われる。
【０００６】
誘導経路に関する案内には、注意を喚起する案内が含まれる。注意を喚起する案内では、例えば「この先に急カーブがあります。注意して下さい。」、「この先右側からの合流があります。注意して下さい。」、「この先に踏切があります。注意して下さい。」などのような比較的重要な音声案内や、「この先にカーブがあります。」、「マーク地点です。」、「予定経路から外れました。」、「この先１ｋｍにＥＴＣ料金所があります。ＥＴＣゲートは右端です。」などのような上記の音声案内よりもその重要度が低い音声案内が含まれる。
【０００７】
道路交通情報に基づく案内には、注意を喚起する案内が含まれる。注意を喚起する案内には、例えば「この先２ｋｍに事故が発生しました。」のような比較的注意を要する音声案内や、「この先５ｋｍに渋滞が発生しました。」、「この先２ｋｍに道路工事があります。１車線の交互通行です。」などのようなある程度記憶に留めておいた方がよい音声案内が含まれる。
【０００８】
その他、ナビゲーション装置の音声案内機能を用いて、車両の種々の案内も行われることがあり、例えば「前方の車に接近しすぎです。」、「後方から車が接近しています。」、「速度が３０ｋｍオーバーです。」、「ヘッドライトが消えています。」、「ガソリンが残り少なくなってきました。」、「車が時々蛇行運転をしています。」などのような音声案内が行われることもある。
【特許文献１】特開２００２−２３６０２９号公報
【発明の開示】
【発明が解決しようとする課題】
【０００９】
上述したように車載ナビゲーション装置が搭載された車両では、例えば誘導経路に関する案内、道路交通情報に基づく案内、利用者による施設検索に対する案内などの種々の案内が音声により行われる。
【００１０】
しかし、音声案内の種類及びその量（数）が多くなることにより、それらの音声案内を提供するタイミングが重複する場合がある。ナビゲーション装置により情報を提供するタイミングが重なった場合に、該情報の優先度に応じて、音声案内を行うようにすることも考えられる。しかし、このようにした場合、片方の案内音声が中断される。特に、交通インフラにより送信された情報が受信された場合に、該情報の優先度は高い場合が多いので、該情報が受信されるまで提供していた情報の中断は著しく多くなる。例えば、図１に示すように、ナビゲーション装置により生成される音声案内（以下、「ナビ情報」と呼ぶ）を提供している途中で、道路交通情報に基づく案内などの交通インフラにより提供される情報（以下、「交通インフラ提供情報」と呼ぶ）を提供するタイミングとなった場合には、ナビ情報の提供は中断され、交通インフラ提供情報が提供される。交通インフラのビーコン等の設置位置の情報を予め記憶しておくことができないため、該交通インフラからの情報が受信されるタイミングを予め知ることが困難であるからである。
【００１１】
このような問題に対して、案内の重要度を考慮して音声案内を行うことができ、重要な音声案内をあまり重要でない音声案内の出力終了まで待ってから出力することにより、音声案内が遅れる等によって不適切な音声案内が行われることがないようにした音声案内装置が開示されている（例えば、特許文献１参照）。
【００１２】
しかし、特に交通インフラにより提供される情報は、その地域ごとに提供されるものであるため、その音声案内のタイミングをずらすことは好ましくない。
【００１３】
そこで、本発明は、交通インフラにより提供される情報の音声案内のタイミングをずらすことなく、情報提供を行うことができるナビゲーション装置及び音声案内方法を提供することを目的とする。
【課題を解決するための手段】
【００１４】
上記課題を解決するため、本発明のナビゲーション装置は、
車両の現在位置を検出し、地図上に車両位置の表示を行い、目的地の検索及び経路案内を行い、該目的地及び経路に関する音声案内を行うナビゲーション装置であって、
交通インフラの位置情報を格納する記憶手段と、
自車両の走行経路に、前記交通インフラの位置情報が含まれるか否かを判断する走行経路判断手段と、
前記走行経路に前記交通インフラの位置情報が含まれる場合に、該位置近傍で提供する自装置における音声案内を提供する時間の長さが、該音声案内を提供するタイミングと前記交通インフラから交通インフラ提供情報が提供されると推定されるタイミングとの時間間隔以上であるか否かを判断する提供時間変更要否判断手段と、
前記自装置における音声案内を提供する時間の長さが、前記時間間隔以上である場合に、該自装置における音声案内を行うタイミングを、前のタイミングに変更する音声案内タイミング変更手段と
を備えることを特徴の１つとする。
【００１５】
このように構成することにより、交通インフラから提供される情報をユーザに提供するタイミングをずらすことなく、ナビゲーション装置がもともとそのタイミングで提供しようとしていた情報と、交通インフラから提供される情報とをユーザに提供することができる。
【００１６】
また、別の構成では、
前記記憶手段は、受信手段により受信された交通インフラにより提供される交通インフラ提供情報と、前記交通インフラの位置情報として該交通インフラ提供情報を受信した位置情報とを関連付けて格納するように構成される。
【００１７】
このように構成することにより、交通インフラにより情報が提供される位置情報を収集できる。
【００１８】
また、別の構成では、
前記音声案内タイミング変更手段は、前記自装置における音声案内を提供する時間の長さと、該音声案内が行われるタイミングと前記交通インフラから交通インフラ提供情報の提供が行われると推定されるタイミングとの時間間隔との間の時間以上の時間、自装置における音声案内を行うタイミングを前記タイミングより前のタイミングに変更するように構成される。
【００１９】
このように構成することにより、自装置における音声案内を提供する時間の長さと、該自装置における音声案内を行うタイミングと前記交通インフラから交通インフラ提供情報の提供が行われると推定されるタイミングとの時間間隔とが重複する時間、音声案内を提供するタイミングをずらすことができる。
【００２０】
また、別の構成では、
前記自装置における音声案内により提供する情報が、前記交通インフラから提供される交通インフラ提供情報と同様の内容であるか否かを判断する情報内容判断手段と、
前記自装置における音声案内の提供及び／又は前記交通インフラ提供情報の提供を行う情報提供手段
を備え、
前記音声案内タイミング変更手段は、前記自装置における音声案内により提供する情報と、前記交通インフラから提供される交通インフラ提供情報が同様の内容でない場合に、該自装置における音声案内を行うタイミングの変更を行い、
前記情報提供手段は、前記自装置における音声案内により提供する情報と、前記交通インフラから提供される交通インフラ提供情報が同様の内容でない場合に、前記音声案内の提供及び交通インフラ提供情報の提供を行うように構成される。
【００２１】
さらに、別の構成では、
前記情報提供手段は、前記自装置における音声案内により提供する情報と、前記交通インフラから提供される交通インフラ提供情報が同様の内容である場合に、前記音声案内の提供を行うように構成される。
【００２２】
このように構成することにより、重複した案内が行われることを防止できる。
【００２３】
さらに、別の構成では、
前記音声案内タイミング変更手段は、前記自装置における音声案内を提供する時間の長さと、該音声案内が行われるタイミングと前記交通インフラから交通インフラ提供情報の提供が行われると推定されるタイミングとの時間間隔との間の時間が、前記自装置における音声案内を提供する時間のずれとして許容される時間以上である場合に、前記許容される時間、自装置における音声案内を行うタイミングを前記タイミングより前のタイミングに変更するように構成される。
【００２４】
このように構成することにより、各ナビ情報において提供を実施するタイミングのずれの許容時間の範囲内で、ナビ情報の提供を実施するタイミングをずらすことができる。
【００２５】
また、別の構成では、
前記受信手段は、ＶＩＣＳにより提供される道路交通情報を受信するように構成される。
【００２６】
このように構成することにより、ＶＩＣＳにより提供される文字、図形及び地図の少なくとも１つに基づいて、交通インフラ提供情報を取得できる。
【００２７】
また、別の構成では、
前記受信手段は、専用狭域通信方式により提供される道路交通情報を受信するように構成される。
【００２８】
このように構成することにより、専用狭域通信により提供される道路交通情報に基づいて、交通インフラ提供情報を取得できる。
【００２９】
本発明の音声案内方法は、
車両の現在位置を検出し、地図上に車両位置の表示を行い、目的地の検索及び経路案内を行い、該目的地及び経路に関する音声案内を行うナビゲーション装置における音声案内方法であって、
記憶手段に格納された交通インフラの位置情報に基づいて、自車両の走行経路に、前記交通インフラの位置情報が含まれるか否かを判断する走行経路判断ステップと、
前記走行経路判断ステップにおいて走行経路に前記交通インフラの位置情報が含まれると判断された場合に、該位置近傍で提供する自装置における音声案内を提供する時間の長さが、該音声案内を提供するタイミングと前記交通インフラから交通インフラ提供情報が提供されると推定されるタイミングとの時間間隔以上であるか否かを判断する提供時間変更要否判断ステップと、
前記提供時間変更要否判断ステップにおいて自装置における音声案内を提供する時間の長さが、前記時間間隔以上であると判断された場合に、該自装置における音声案内を行うタイミングを、前のタイミングに変更する音声案内タイミング変更ステップと
を有することを特徴の１つとする。
【００３０】
このようにすることにより、交通インフラから提供される情報をユーザに提供するタイミングをずらすことなく、ナビゲーション装置がもともとそのタイミングで提供しようとしていた情報と、交通インフラから提供される情報とを、ユーザに提供することができる。
【発明の効果】
【００３１】
本発明の実施例によれば、交通インフラにより提供される情報の音声案内のタイミングをずらすことなく、情報提供を行うことができるナビゲーション装置及び音声案内方法を実現できる。
【発明を実施するための最良の形態】
【００３２】
次に、本発明を実施するための最良の形態を、以下の実施例に基づき図面を参照しつつ説明する。
【００３３】
なお、実施例を説明するための全図において、同一機能を有するものは同一符号を用い、繰り返しの説明は省略する。
【００３４】
（第１の実施例）
本発明の実施例に係るナビゲーション装置１００について、図２を参照して説明する。本実施例に係るナビゲーション装置１００は、移動体に搭載される。移動体には車両が含まれる。
【００３５】
本実施例に係るナビゲーション装置１００は、表示装置１０２を備える。表示装置１０２は、ＥＣＵ１０８により入力される道路地図データ及び自車位置情報に基づいて、自車の現在位置を道路地図上に表示する。例えば、表示装置１０２は、カラー液晶表示器により構成されるようにしてもよい。
【００３６】
また、ナビゲーション装置１００は、操作部１０４を備える。操作部１０４は、ユーザによる操作に従って、該操作に対応する操作入力信号をＥＣＵ１０８に入力する。また、操作部１０４は、例えば、表示装置１０２に表示されている操作ボタン等に対して行われた操作を検出して、該検出した操作内容を示す操作入力信号を生成するタッチパネルにより構成されるようにしてもよい。
【００３７】
また、ナビゲーション装置１００は、スピーカ１０６を備える。スピーカ１０６は、ＥＣＵ１０８により入力された音声案内情報に従って、ユーザに対して、誘導経路に関する案内などのナビゲーション装置１００により生成される音声案内（以下、「ナビ情報」と呼ぶ）や、道路交通情報に基づく案内などの交通インフラにより提供される情報（以下、「交通インフラ提供情報」と呼ぶ）に基づく音声案内を行う。
【００３８】
また、ナビゲーション装置１００は、地図データ１１０を備える。地図データ１１０は、地図情報を記憶する。
【００３９】
また、ナビゲーション装置１００は、GNSSアンテナ１１２及びGNSS受信機１１４を備える。衛星航法(GNSS:  Global  Navigation  Satellite  System)とは、航空機から３つの航法衛星（GNSS用周回衛星)（以下、GNSS衛星と呼ぶ）を捕捉することで各GNSS衛星からの距離を得るとともに、４つ目の航法衛星からの信号で時刻合わせを行い、航空機の３次元での飛行位置を得ることができる航法システムである。この衛星航法には、全地球的測位システム(GPS:  Global  Positioning  System)、ガリレオ(GALILEO)などが含まれる。GNSS受信機１１４は、GNSSアンテナ１１２により受信された複数のGNSS衛星からの電波に基づいて、移動体の位置及び速度を測定する。例えば、GNSS受信機１１４は、入力された信号に基づいて、複数のGNSS衛星から自GNSS受信機１１４までの距離をそれぞれ測定し、これらの測定値に基づいて該GNSS受信機１１４が搭載された移動体の測位を行う。GNSS衛星により発射された信号は、該GNSS衛星とGNSS受信機１１４との間の距離を電波が伝搬する時間だけ遅れてGNSS受信機１１４に到達する。従って、複数のGNSS衛星について電波伝搬に要する時間を求めれば、測位演算によってGNSS受信機１１４の位置を求めることができる。例えば、複数のGNSS衛星により発射された電波は、GNSS受信機１１４により受信され、各GNSS衛星からGNSS受信機１１４までの距離が求められる。そして、GNSS受信機１１４は、求められた距離に基づいて、自GNSS受信機１１４の位置を求める。また、GNSS受信機１１４は、求められたGNSS受信機１１４の位置をＥＣＵ１０８に入力する。
【００４０】
また、ナビゲーション装置１００は、電波・光ビーコン受信機１１６、ＦＭアンテナ１１８及び受信機１２０を備える。電波・光ビーコン受信機１１６は、道路交通情報センタ、例えばＶＩＣＳセンタにより提供される電波ビーコン及び／又は光ビーコンにより送信される電波及び／又は光を受信し、該受信した電波及び／又は光を受信機１２０に入力する。ＦＭアンテナ１１８は、道路交通情報センタ、例えばＶＩＣＳセンタにより提供されるＦＭ多重放送を受信し、該受信したＦＭ多重放送を受信機１２０に入力する。受信機１２０は、入力された電波及び／又は光、ＦＭ多重放送の受信処理を行い、取得された交通インフラ提供情報をＥＣＵ１０８に入力する。
【００４１】
また、ナビゲーション装置１００は、記憶部１２２を備える。記憶部１２２は、交通インフラから交通インフラ提供情報を受信した場合には、該交通インフラ提供情報と該交通インフラ提供情報を受信した位置情報とを対応付けて格納する。記憶部１２２は、例えば、ハードディスク(HDD:  Hard  Disk  Drive)により構成される。
【００４２】
また、ナビゲーション装置１００は、走行経路判断手段、提供時間変更要否判断手段、音声案内タイミング変更手段、情報内容判断手段及び情報提供手段としてのＥＣＵ１０８を備える。ＥＣＵ１０８は、GNSS受信機１１４により入力された位置情報と、地図データ１１０に記憶された地図情報のうち、該GNSS受信機１１４の位置の周辺の地図情報を表示装置１０２に入力する。その結果、表示装置１０２には、自車の現在位置が道路地図上に表示される。
【００４３】
また、ＥＣＵ１０８は、操作部１０４により入力された操作入力信号に基づいて、該当する処理を行う。
【００４４】
また、ＥＣＵ１０８は、受信機１２０により交通インフラにより提供される交通インフラ提供情報が入力された場合、該交通インフラ提供情報が受信された位置情報をGNSS受信機１１４により取得し、該交通インフラ提供情報とともに、記憶部１２２に記憶する。例えば、車両が走行中に、その道路が初めて通る道路である場合に、交通インフラから送信された交通インフラ提供情報を受信した場合には、該交通インフラ提供情報と該交通インフラ提供情報を受信した位置情報とを対応付けて記憶部１２２に格納する。例えば、交通インフラ提供情報を解析することにより、提供されている情報の内容を取得する。この場合、交通インフラ提供情報を受信した位置が交通インフラの位置とみなされる。このようにすることにより、交通インフラの位置及び該交通インフラにより提供される交通インフラ提供情報を蓄積することができる。
【００４５】
また、走行経路判断手段、提供時間変更要否判断手段及び音声案内タイミング変更手段としてのＥＣＵ１０８は、記憶部１２２に格納されている交通インフラ提供情報と位置情報との対応に基づいて、走行中の道路において交通インフラから交通インフラ提供情報が提供されると推定されるか否かを判断する。具体的には、車両の走行経路に、交通インフラ提供情報を受信した位置情報が含まれるか否かを判断する。
【００４６】
そして、走行中の道路において交通インフラから交通インフラ提供情報が提供されることが見込まれる場合には、さらに、ナビ情報に基づく音声案内と交通インフラ提供情報に基づく音声案内の少なくとも一部が重複すると見込まれるか否か、言い換えれば、ナビ情報に基づく自装置における音声案内の提供の途中で、交通インフラから交通インフラ提供情報が提供されると推定されるか否かを判断する。例えば、交通インフラ提供情報が受信されると推定される位置近傍で提供される自装置における音声案内を提供する時間の長さが、該自装置における音声案内を行うタイミングと該交通インフラから提供される交通インフラ提供情報の提供が行われると推定されるタイミングとの時間間隔以上であるか否かを判断し、自装置における音声案内を提供する時間の長さが、該自装置における音声案内を行うタイミングと交通インフラにより提供される交通インフラ提供情報の提供が行われると推定されるタイミングとの時間間隔以上である場合に、ナビ情報に基づく自装置における音声案内と交通インフラ提供情報に基づく音声案内の少なくとも一部が重複すると判断する。そして、ナビ情報に基づく自装置における音声案内と交通インフラ提供情報に基づく音声案内の少なくとも一部が重複すると見込まれる場合には、図３に示すように、ナビ情報に基づく自装置における音声案内を該重複する時間以上の時間だけ前出しして行う。すなわち、自装置における音声案内を行うタイミングを、該タイミングより前のタイミングに変更する。このようにすることにより、交通インフラ提供情報の提供タイミングをずらすことなく、ナビ情報及びインフラ情報を途中で途切れることなく提供できる。
【００４７】
次に、本実施例に係るナビゲーション装置１００の動作について説明する。
【００４８】
交通インフラ位置情報を蓄積する処理と交通インフラ提供情報を提供する処理に分けて説明する。
【００４９】
最初に、交通インフラ位置情報を蓄積する処理について、図４を参照して説明する。
【００５０】
ナビゲーション装置１００は、交通インフラから送信された交通インフラ提供情報を受信したか否かを判断する（ステップＳ４０２）。具体的には、ＥＣＵ１０８は、受信機１２０から交通インフラ提供情報が入力されたか否かを判断する。
【００５１】
交通インフラから送信された交通インフラ提供情報を受信していない場合（ステップＳ４０２：ＮＯ）、ステップＳ４０２に戻り、継続してステップＳ４０２の処理を行う。一方、交通インフラから送信された交通インフラ提供情報を受信した場合（ステップＳ４０２：ＹＥＳ）、ナビゲーション装置１００は、該交通インフラ提供情報が受信された位置情報を取得する（ステップＳ４０４）。具体的には、ＥＣＵ１０８は、GNSS受信機１１４から位置情報を取得する。
【００５２】
ナビゲーション装置１００は、取得した位置情報に基づいて、該位置情報が既に記憶されている位置情報であるか否かを判断する（ステップＳ４０６）。具体的には、ＥＣＵ１０８は、取得した位置情報が記憶部１２２に記憶されている位置情報のいずれかに該当するかを判断する。
【００５３】
該位置情報が既に記憶されている位置情報である場合（ステップＳ４０６：ＹＥＳ）、ナビゲーション装置１００は、既に記憶されている位置情報と対応付けて交通インフラ提供情報を記憶する。具体的には、ＥＣＵ１０８は、既に記憶されている位置情報と対応付けて交通インフラ提供情報を記憶部１２２に格納する。一方、該位置情報が既に記憶されている位置情報でない場合（ステップＳ４０６：ＮＯ）、ナビゲーション装置１００は、該位置情報と対応付けて交通インフラ提供情報を新たに記憶する。具体的には、ＥＣＵ１０８は、位置情報と対応付けて交通インフラ提供情報を記憶部１２２に格納する。
【００５４】
次に、交通インフラ提供情報を提供する処理について、図５を参照して説明する。
【００５５】
ナビゲーション装置１００は、自装置が搭載された車両が走行している道路において、交通インフラから交通インフラ提供情報が提供されると推定されるか否かを判断する（ステップＳ５０２）。具体的には、ＥＣＵ１０８は、記憶部１２２に記憶された位置情報と交通インフラ提供情報との対応に基づいて、自車両の走行経路に、該位置情報が含まれるか否かを判断することにより、含まれる場合には交通インフラから交通インフラ提供情報が提供されると推定し、含まれない場合には交通インフラから情報が提供されないと推定する。
【００５６】
交通インフラから交通インフラ提供情報が提供されると推定されない場合（ステップＳ５０２：ＮＯ）、ステップＳ５０２に戻り、ステップＳ５０２の処理を継続する。一方、交通インフラから交通インフラ提供情報が提供されると推定される場合（ステップＳ５０２：ＹＥＳ）、ナビゲーション装置１００は、ナビ情報に基づく自装置における音声案内と交通インフラ提供情報に基づく音声案内の少なくとも一部が重複するか否かを推定する（ステップＳ５０４）。具体的には、ＥＣＵ１０８は、交通インフラ提供情報が受信されると推定される位置近傍で提供される自装置における音声案内を提供する時間の長さが、該自装置における音声案内を行うタイミングと該交通インフラ提供情報の提供が行われると推定されるタイミングとの時間間隔以上であるか否かを判断する。自装置における音声案内を提供する時間の長さが、該自装置における音声案内を行うタイミングと交通インフラ提供情報の提供が行われると推定されるタイミングとの時間間隔以上である場合に、ナビ情報に基づく自装置における音声案内と交通インフラ提供情報に基づく音声案内の少なくとも一部が重複すると判断する。自装置における音声案内を提供する時間の長さが、該自装置における音声案内を行うタイミングと交通インフラ提供情報の提供が行われると推定されるタイミングとの時間間隔未満である場合には、ナビ情報に基づく自装置における音声案内と交通インフラ提供情報に基づく音声案内とは重複しないと判断する。
【００５７】
ナビ情報に基づく自装置における音声案内と交通インフラ提供情報に基づく音声案内の少なくとも一部が重複すると判断される場合（ステップＳ５０４：ＹＥＳ）、ナビゲーション装置１００は、ナビ情報の提供実施タイミングを、ナビ情報に基づく自装置における音声案内と交通インフラ提供情報に基づく音声案内とが重複する時間以上前にずらす処理を行う（ステップＳ５０６）。具体的には、ＥＣＵ１０８は、ナビ情報に基づく自装置における音声案内を提供する時間の長さと、該自装置における音声案内を行うタイミングと交通インフラ提供情報の提供が行われると推定されるタイミングとの時間間隔との間の時間以上の時間、前のタイミングにずらす処理を行う。すなわち、ナビ情報の提供時間の長さと、ナビ情報の提供を実施するタイミングと交通インフラ提供情報の提供を実施するタイミングとの間の時間との時間差を求め、該時間差以上の時間、ナビ情報に基づく音声案内の提供を実施するタイミングを前にずらす処理を行う。
【００５８】
ナビ情報に基づく自装置における音声案内と交通インフラ提供情報に基づく音声案内が重複しないと判断される場合（ステップＳ５０４：ＮＯ）及びステップＳ５０６による処理が行われた後、ナビゲーション装置１００は、ナビ情報の提供を実施するタイミングにおいて、ナビ情報の提供を実施する（ステップＳ５０８）。具体的には、ＥＣＵ１０８は、ナビ情報に基づく自装置における音声案内と交通インフラ提供情報に基づく音声案内の少なくとも一部が重複しないと判断される場合には、ナビ情報の提供実施タイミングにおいて、ナビ情報の提供を実施する。また、ＥＣＵ１０８は、ナビ情報に基づく音声案内と交通インフラ提供情報に基づく音声案内の少なくとも一部が重複すると判断される場合には、ナビ情報に基づく音声案内とインフラ情報に基づく音声案内が重複する時間以上前にずらしたナビ情報提供実施タイミングにおいて、ナビ情報の提供を実施する。
【００５９】
ナビゲーション装置１００は、交通インフラ提供情報の提供実施タイミングにおいて、交通インフラにより提供された交通インフラ提供情報の提供を実施する（ステップＳ５１０）。
【００６０】
ここで、交通インフラ提供情報が提供されるタイミングにおいて、交通インフラ提供情報が提供されない場合には、その交通インフラの位置情報を、記憶部１２２から削除するようにしてもよい。また、交通インフラが偶然に使用されていなかった場合にその交通インフラの位置情報が削除されることを低減する観点からは、交通インフラが使用されていないと判断される回数以上該交通インフラから交通インフラ提供情報が提供されなかった場合に、その交通インフラの位置情報を記憶部１２２から削除するようにしてもよい。具体的には、２−３回、該交通インフラから交通インフラ提供情報が提供されなかった場合に、その交通インフラの位置情報を記憶部１２２から削除するようにしてもよい。また、交通インフラの位置情報を記憶部１２２から削除することまでは行わず、ＥＣＵ１０８は、自車両の走行経路に交通インフラの位置情報が含まれるか否かを判断する場合に、該使用されていない交通インフラを除いた交通インフラの位置情報に基づいて判断するようにしてもよい。
【００６１】
本実施例によれば、ナビゲーション装置により生成される音声案内を提供している途中で、道路交通情報に基づく案内などの交通インフラにより通知される情報を提供するタイミングとなることを回避することができる。このため、交通インフラにより提供される情報の音声案内のタイミングをずらすことなく、ナビゲーション装置により生成される音声案内の提供及び交通インフラにより通知される情報を提供することができる。
【００６２】
本実施例においては、交通インフラの一例として、ＶＩＣＳにより道路交通情報が提供される場合について説明したが、専用狭域通信(DSRC:  Dedicated  Short  Range  Communication）方式により道路交通情報が提供される場合には、該情報を用いるようにしてもよい。専用狭域通信とは、ETCや商用車管理システム等の路車間通信に用いられる無線通信のことをいい、光を用いる方式と電波を用いる方式があり、通信可能な範囲は一般に路側機から数メートル〜数１００メートルである。この専用狭域通信により提供されるコンテンツデータを解析することにより、提供すべき道路交通情報を取得することができる。
【００６３】
（第２の実施例）
本発明の他の実施例に係るナビゲーション装置について説明する。
【００６４】
本実施例に係るナビゲーション装置１００の構成は、図２を参照して説明した構成と同様である。
【００６５】
本実施例に係るナビゲーション装置１００では、交通インフラにより提供されると推定される交通インフラ提供情報が、ナビ情報に基づく自装置における音声案内により提供する情報と同様の内容であると推定される場合には、交通インフラにより提供される交通インフラ提供情報は提供しないようにしたものである。例えば、情報内容判断手段としてのＥＣＵ１０８は、これまでに蓄積された交通インフラ提供情報を解析することにより、予め取得した交通インフラ提供情報の内容と、提供しようとしているナビ情報の内容とを比較することにより、同様の内容であるか否かを判断する。ここで、同様の内容とは提供しようとしている情報が同一であることや、提供しようとしている情報の意味（意図）が同一であることを含む。交通インフラにより提供されると推定される交通インフラ提供情報の推定精度を向上させる観点からは、記憶部１２２には、同じビーコンから送信される交通インフラ提供情報を、その提供される度に蓄積するのが好ましい。このようにすることにより、提供される交通インフラ提供情報の履歴に基づいて、提供される交通インフラ提供情報を推定できる。
【００６６】
推定される交通インフラ提供情報が、提供しようとしているナビ情報と同様の内容である場合、ナビ情報の提供を実施するタイミングはずらされることなく、提供される。この場合、実際に受信された交通インフラ提供情報が、提供しているナビ情報と異なる場合には、ナビ情報の提供を中断し、交通インフラ提供情報が提供される。
【００６７】
次に、本実施例に係るナビゲーション装置１００の動作について説明する。
【００６８】
交通インフラ位置情報を蓄積する処理については、図４を参照して説明した処理と同様である。
【００６９】
交通インフラ提供情報を提供する処理について、図６を参照して説明する。
【００７０】
ナビゲーション装置１００は、自装置が搭載された車両が走行している道路において、交通インフラから交通インフラ提供情報が提供されると推定されるか否かを判断する（ステップＳ６０２）。具体的には、ＥＣＵ１０８は、記憶部１２２に記憶された位置情報と交通インフラ提供情報との対応に基づいて、自車両の走行経路に、該位置情報が含まれるか否かを判断することにより、含まれる場合には交通インフラから交通インフラ提供情報が提供されると推定し、含まれない場合には交通インフラから情報が提供されないと推定する。
【００７１】
交通インフラから交通インフラ提供情報が提供されると推定されない場合（ステップＳ６０２：ＮＯ）、ステップＳ６０２に戻り、ステップＳ６０２の処理を継続する。一方、交通インフラから交通インフラ提供情報が提供されると推定される場合（ステップＳ６０２：ＹＥＳ）、ナビゲーション装置１００は、交通インフラにより提供されると推定される交通インフラ提供情報が、提供する予定であるナビ情報に基づく情報と同様の内容であるか否かを判断する（ステップＳ６０４）。具体的には、ＥＣＵ１０８は、記憶部１２２に格納された位置情報と交通インフラ提供情報との対応に基づいて、交通インフラにより提供されると推定される交通インフラ提供情報が、該交通情報に先立って提供されるナビ情報と同様の内容であるか否かを判断する。
【００７２】
交通インフラにより提供されると推定される交通インフラ提供情報が、該交通情報に先立って提供されるナビ情報と同様の内容であると推定される場合（ステップＳ６０４：ＹＥＳ）、ナビゲーション装置１００は、ナビ情報の提供を実施するタイミングにおいて、ナビ情報の提供を実施する（ステップＳ６０６）。具体的には、情報提供手段としてのＥＣＵ１０８は、交通インフラにより提供されると推定される交通インフラ提供情報が、該交通情報に先立って提供されるナビ情報と同様の内容であると推定される場合には、ナビ情報提供実施タイミングにおいて、ナビ情報の提供を実施する。この場合、ナビ情報提供実施タイミングをずらす処理は行われない。一方、交通インフラにより提供されると推定される交通インフラ提供情報が、該交通情報に先立って提供されるナビ情報と同様の内容であると推定されない場合（ステップＳ６０４：ＮＯ）、図５を参照して説明したステップＳ５０４以降の処理が行われる。
【００７３】
ステップＳ６０６の処理の後、ナビゲーション装置１００は、交通インフラ提供情報の提供を実施するタイミングにおいて、交通インフラにより提供された交通インフラ提供情報がナビ情報と同様の内容であるか否かを判断する（ステップＳ６０８）。具体的には、ＥＣＵ１０８は、交通インフラにより実際に提供された交通インフラ提供情報が、該交通情報に先立って提供しているナビ情報と同様の内容であるか否かを判断する。
【００７４】
交通インフラにより提供された交通インフラ提供情報が、ナビ情報と同様の内容である場合（ステップＳ６０８：ＹＥＳ）、終了する。すなわち、ナビ情報の提供の後、交通インフラ提供情報の提供は行わない。一方、交通インフラにより提供された交通インフラ提供情報が、ナビ情報と同様の内容でない場合（ステップＳ６０８：ＮＯ）、ナビゲーション装置１００は、交通インフラ提供情報の提供を実施するタイミングにおいて、交通インフラにより提供された交通インフラ提供情報の提供を実施する（ステップＳ６１０）。この場合、ナビ情報の提供は中断されることもあり得る。
【００７５】
本実施例によれば、交通インフラにより提供された交通インフラ提供情報の内容とナビ情報の内容と同様である場合には、ナビ情報の提供を実施するタイミングをずらすことなく、情報を提供することができる。ナビゲーション装置により提供する情報も、本来の適切なタイミングで提供するのが理想的である。このため、できる限り、該適切なタイミングで提供するのが好ましい。また、重複した案内が行われることを防止できる。
【００７６】
（第３の実施例）
本発明の他の実施例に係るナビゲーション装置について説明する。
【００７７】
本実施例に係るナビゲーション装置１００の構成は、図２を参照して説明した構成と同様である。
【００７８】
上述した本実施例では、ナビゲーション装置１００は、ナビ情報に基づく自装置における音声案内と交通インフラ提供情報に基づく音声案内の少なくとも一部が重複すると判断される場合、ナビ情報の提供を実施するタイミングを、ナビ情報に基づく自装置における音声案内と交通インフラ提供情報に基づく音声案内とが重複する時間以上前にずらす処理を行う。このようにした場合、ナビ情報の提供を実施するタイミングが本来実施したいタイミングより大幅にずれてしまう場合があるため好ましくない。そこで、各ナビ情報において提供を実施するタイミングのずれの許容時間を予め決定しておく。音声案内タイミング変更手段としてのＥＣＵ１０８は、予め決定されたズレの許容時間に基づいて、該ズレの許容時間以上、提供実施タイミングをずらす処理は行わないようにする。
【００７９】
このようにすることにより、ズレの許容時間の範囲内で、提供を実施するタイミングをずらすことができるので、提供できるナビ情報量は増加させることができる。さらに、ナビ情報の提供を実施するタイミングの大幅なズレを回避できる。
【００８０】
次に、本実施例に係るナビゲーション装置１００の動作について説明する。
【００８１】
交通インフラ位置情報を蓄積する処理については、図４を参照して説明した処理と同様である。
【００８２】
次に、交通インフラ提供情報を提供する処理について、図７を参照して説明する。
【００８３】
ナビゲーション装置１００は、自装置が搭載された車両が走行している道路において、交通インフラから交通インフラ提供情報が提供されると推定されるか否かを判断する（ステップＳ７０２）。具体的には、ＥＣＵ１０８は、記憶部１２２に記憶された位置情報と交通インフラ提供情報との対応に基づいて、自車両の走行経路に、該位置情報が含まれるか否かを判断することにより、含まれる場合には交通インフラから交通インフラ提供情報が提供されると推定し、含まれない場合には交通インフラから情報が提供されないと推定する。
【００８４】
交通インフラから交通インフラ提供情報が提供されると推定されない場合（ステップＳ７０２：ＮＯ）、ステップＳ７０２に戻り、ステップＳ７０２の処理を継続する。一方、交通インフラから交通インフラ提供情報が提供されると推定される場合（ステップＳ７０２：ＹＥＳ）、ナビゲーション装置１００は、ナビ情報に基づく自装置における音声案内と交通インフラ提供情報に基づく音声案内の少なくとも一部が重複するか否かを推定する（ステップＳ７０４）。具体的には、ＥＣＵ１０８は、交通インフラ提供情報が受信されると推定される位置近傍で提供される自装置における音声案内を提供する時間の長さが、該自装置における音声案内を行うタイミングと該交通インフラ提供情報の提供が行われると推定されるタイミングとの時間間隔以上であるか否かを判断する。自装置における音声案内が提供される時間の長さが、該自装置における音声案内が行われるタイミングと交通インフラ提供情報の提供が行われると推定されるタイミングとの時間間隔以上である場合に、ナビ情報に基づく自装置における音声案内と交通インフラ提供情報に基づく音声案内の少なくとも一部が重複すると判断する。自装置における音声案内が提供される時間の長さが、該自装置における音声案内が行われるタイミングと交通インフラ提供情報の提供が行われると推定されるタイミングとの時間間隔未満である場合には、ナビ情報に基づく自装置における音声案内と交通インフラ提供情報に基づく音声案内とは重複しないと判断する。
【００８５】
ナビ情報に基づく自装置における音声案内と交通インフラ提供情報に基づく音声案内の少なくとも一部が重複すると判断される場合（ステップＳ７０４：ＹＥＳ）、ナビゲーション装置１００は、ナビ情報に基づく自装置における音声案内と交通インフラ提供情報に基づく音声案内とが重複する時間を求める（ステップＳ７０６）。具体的には、ＥＣＵ１０８は、ナビ情報に基づく自装置における音声案内が提供される時間の長さと、該自装置における音声案内を行うタイミングと交通インフラ提供情報の提供が行われると推定されるタイミングとの時間間隔との間の時間差を求める。
【００８６】
ナビゲーション装置１００は、ナビ情報に基づく自装置における音声案内が提供される時間の長さと、該自装置における音声案内を行うタイミングと交通インフラ提供情報の提供が行われると推定されるタイミングとの時間間隔との間の時間差が、ナビ情報を提供する時間のズレとして許容される時間以上であるか否かを判断する（ステップＳ７０８）。
【００８７】
該時間差が、許容される時間以上である場合（ステップＳ７０８：ＹＥＳ）、ナビ情報の提供を実施するタイミングを、該許容される時間だけ前にずらす処理を行う（ステップＳ７１０）。一方、該時間差が、許容される時間未満である場合（ステップＳ７０８：ＮＯ）、ナビ情報の提供を実施するタイミングを、ナビ情報に基づく自装置における音声案内と交通インフラ提供情報に基づく音声案内とが重複する時間だけ前にずらす処理を行う（ステップＳ７１２）。
【００８８】
ナビ情報に基づく自装置における音声案内と交通インフラ提供情報に基づく音声案内の少なくとも一部が重複しないと判断される場合（ステップＳ７０４：ＮＯ）、ステップＳ７１０又はステップＳ７１２による処理が行われた後、ナビゲーション装置１００は、ナビ情報の提供を実施するタイミングにおいて、ナビ情報の提供を実施する（ステップＳ７１４）。具体的には、ＥＣＵ１０８は、ナビ情報に基づく自装置における音声案内と交通インフラ提供情報に基づく音声案内の少なくとも一部が重複しないと判断される場合には、ナビ情報の提供を実施するタイミングにおいてナビ情報の提供を実施する。また、ＥＣＵ１０８は、ナビ情報に基づく音声案内と交通インフラ提供情報に基づく音声案内の少なくとも一部が重複すると判断され、さらに該重複する時間が許容される時間以上である場合に、該許容される時間だけ前にずらしたナビ情報提供実施タイミングにおいてナビ情報の提供を実施する。また、ＥＣＵ１０８は、ナビ情報に基づく音声案内と交通インフラ提供情報に基づく音声案内の少なくとも一部が重複すると判断され、さらに該重複する時間が許容される時間未満である場合に、該重複する時間差だけ前にずらしたナビ情報提供実施タイミングにおいてナビ情報の提供を実施する。
【００８９】
ナビゲーション装置１００は、交通インフラ提供情報の提供を実施するタイミングにおいて、交通インフラにより提供された情報の提供を実施する（ステップＳ７１６）。
【００９０】
本実施例によれば、各ナビ情報において提供を実施するタイミングのずれの許容時間の範囲内で、ナビ情報の提供を実施するタイミングをずらすことができるので、提供できるナビ情報量は増加させることができる。さらに、ナビ情報の提供を実施するタイミングの大幅なズレを回避できる
説明の便宜上、発明の理解を促すため具体的な数値例を用いて説明されるが、特に断りのない限り、それらの数値は単なる一例に過ぎず適切な如何なる値が使用されてよい。
【００９１】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００９２】
【図１】ナビゲーション装置により生成される音声案内及び交通インフラにより通知される情報の提供を実施するタイミングを示す説明図である。
【図２】本発明の一実施例にかかるナビゲーション装置を示す部分ブロック図である。
【図３】本発明の一実施例にかかるナビゲーション装置により生成される音声案内及び交通インフラにより通知される情報の提供を実施するタイミングを示す説明図である。
【図４】本発明の一実施例にかかるナビゲーション装置の動作を示すフロー図である。
【図５】本発明の一実施例にかかるナビゲーション装置の動作を示すフロー図である。
【図６】本発明の一実施例にかかるナビゲーション装置の動作を示すフロー図である。
【図７】本発明の一実施例にかかるナビゲーション装置の動作を示すフロー図である。
【符号の説明】
【００９３】
１００  ナビゲーション装置
１０２  表示装置
１０４  操作部
１０６  スピーカ
１０８  電子制御ユニット(ECU:  Electronic  Control  Unit)
１１０  地図データ
１１２  GNSSアンテナ
１１４  GNSS受信機
１１６  電波・光ビーコン受信機
１１８  ＦＭアンテナ
１２０  受信機
１２２  記憶部
【図１】
2009115617.tif 000003
【図２】
2009115617.tif 000004
【図３】
2009115617.tif 000005
【図４】
2009115617.tif 000006
【図５】
2009115617.tif 000007
【図６】
2009115617.tif 000008
【図７】
2009115617.tif 000009